(57)【要約】【課題】ボトル内部の飲料を飲んだ後には、貯金箱として利用できる販売促進用部材収納ケースを提供する。【解決手段】販売促進部材収納ケースたる景品ケース６は、ボトル肩部２のボトル胴部３との境界近傍にその開放端縁が載るよう形成した円筒形状の周壁７と、この周壁７と前記開放端とは反対側で一体形成したコイン投入口９を有する天壁８と、この天壁８内面から該天壁８内面とほぼ直角方向に延び、ボトル首部１に対して接離する方向に揺動するよう、天壁８と一体形成した適度の弾性を有する複数の舌片１１とを備えてなり、この各舌片１０先端縁には、舌片１１の弾力性によってボトル首部１の突縁１ａに係脱する係止用突起１２を設け、その取り付け状態において、前記周壁７及び前記天壁８とボトル肩部２との間で景品収納空間を形成するものである。【選択図】図３
2009107688.tif 000002
【特許請求の範囲】
【請求項１】
円筒形状の周壁と、この周壁の上端に一体形成したコイン投入口を有する天壁と、この天壁内面から該天壁内面とほぼ直角方向に延び、ボトル首部に対して接離する方向に揺動するよう、前記天壁と一体形成した適度の弾性を有する複数の舌片とを備えてなり、この各舌片先端縁には、舌片の弾力性によってボトル首部の係合部に係脱する係止用突起を設け、周壁、天壁、各舌片で形成される空間を景品収納空間とした飲料用ボトルの販売促進部材収納ケース。
【請求項２】
係止用突起がボトル首部の係合部に係止した取り付け状態において、周壁の下端はボトル肩部のボトル胴部と境界部近傍に対応位置し、天壁はキャップ天部に対応位置するよう構成したことを特徴とする請求項１記載の飲料用ボトル容器の販売促進部材収納ケース。
【発明の詳細な説明】
【技術分野】
【０００１】
本発明は、清涼飲料用などのボトル容器に分離可能に取り付けるボトル容器の販売促進用部材収納ケースに係り、特に、飲料を飲用した後の空ボトル本体を貯金箱として利用することができる飲料用ボトル容器の販売促進部材収納ケースに関する。
【背景技術】
【０００２】
従来、ボトル容器に分離可能に取り付ける販売促進用部材収納ケースとしては、例えば景品を収納して消費者の目を引き、購買意欲を高めるための景品収納ケース（特許文献１参照）がある。この景品収納ケースは、ボトル首部からボトル胴部間の傾斜した肩部との間に景品収納空間を形成するカップ状をなすもので、前記景品収納ケースをボトル容器から取り外して景品を取り出した後は、ボトル容器とともに廃棄されていた。
【特許文献１】特開２００１−１５８４３４号公報
【発明の開示】
【発明が解決しようとする課題】
【０００３】
上記従来の景品収納ケースは、景品を取り出した後に空ボトル本体とともにゴミとなり、廃棄処理をしなければならない、という問題があった。
【０００４】
本発明は、上記問題を解消することを課題とし、該課題を解決したボトル容器の販売促進用部材の収納ケースを提供することを目的とする。
【課題を解決するための手段】
【０００５】
上記目的を達成するために、請求項１に記載の本発明に係る飲料用ボトル容器の販売促進部材収納ケースは、円筒形状の周壁と、この周壁の上端に一体形成したコイン投入口を有する天壁と、この天壁内面から該天壁内面とほぼ直角方向に延び、ボトル首部に対して接離する方向に揺動するよう、前記天壁と一体形成した適度の弾性を有する複数の舌片とを備えてなり、この各舌片先端縁には、舌片の弾力性によってボトル首部の係合部に係脱する係止用突起を設け、周壁、天壁、各舌片で形成される空間を景品収納空間としたものである。
【０００６】
また、請求項２に記載の本願発明に係る飲料用ボトル容器の販売促進部材収納ケースは、請求項１記載の発明の構成に加えて、係止用突起がボトル首部の係合部に係止した取り付け状態において、周壁の下端はボトル肩部のボトル胴部と境界部近傍に対応位置し、天壁はキャップ天部に対応位置するよう構成したものである。
【発明の効果】
【０００７】
本発明に係る飲料用ボトル容器の販売促進部材収納ケースは、ボトル本体内の飲料を飲んだ後に、ボトルキャップを外した状態でボトル首部に取り付けることによって、ボトル本体を貯金箱として利用することができ、景品を収納して販売することによる販売促進効果を有するとともに、ボトル本体とともにゴミにならないという効果を奏するものです。
【発明を実施するための最良の形態】
【０００８】
次に、本発明の好適な実施形態を添付図面の図１〜図３に基づいて詳細に説明する。ここにおいて、図１は平面図、図２は図１のＡ−Ａ線断面図、図３は貯金箱となした状態の縦断正面図である。
【０００９】
先ず、本発明の販売促進部材の収納ケースの説明をする前に、図３によってボトル容器の説明をする。なお、図３は、ボトルキャップを外したボトル本体を示している。ボトル容器は、公知の構成を有するものであって、係合部たる突縁１ａを有するボトル首部１、このボトル首部１に連続し傾斜して下方に延びるボトル肩部２、このボトル肩部２に連続し下方に延びるボトル胴部３及びこのボトル胴部３下端に設けたボトル底部を一体形成したボトル本体４と、前記ボトル首部１に螺合したボトルキャップ（図示せず）とからなる。前記ボトル首部１の突縁１ａは、ボトルキャップを螺合するための雄螺旋１ｂより前記ボトル肩部２側に位置して設けられている。このボトルキャップは、いわゆる広口のボトル口を密閉する公知のピルファープルーフキャップであって、一端にキャップ天部を有するとともに、他端を開放したほぼ円筒形状をなしたキャップ本体と、このキャップ本体の下端縁と複数のブリッジ（図示せず）を介して連繋したバンドリング５とからなり、このバンドリング５は、閉栓状態では、ボトル首部１の突縁１ａに被冠、支持され、開栓時には前記ブリッジが剪断されてキャップ本体と分離し、前記ボトル首部１の突縁１ａに支持されたまま残留する。
【００１０】
続いて、図１〜図３によって、販売時に前記ボトル容器に取り付ける本発明の販売促進部材収納ケースたる景品ケース６を説明する。景品ケース６は、前記ボトル肩部２の、ボトル胴部３との境界近傍にその開放端縁が載るようなしたほぼ円筒形状の周壁７と、この周壁７上端の天壁８とからなり、この天壁８中央には、コインを投入するためのスリット状のコイン投入口９を設け、天壁８内面における前記コイン投入口９周囲位置からは、天壁８内面とほぼ直角方向に延びる筒体１０を一体形成する。この筒体１０端部には、ボトル容器に取り付けた状態において、前記ボトル首部１側部に対して接離する方向に揺動するよう、適度の弾性を有する４片の係止舌片１１を所定間隔をおいて延設し、これら各係止舌片１１先端縁には、係止舌片１１の弾性力によって、ボトル首部１の突縁１ａに係脱する係止用突起１２を内側に向けてそれぞれ突設する。
【００１１】
図１〜図３に示すように、前記天壁８には、前記各舌片１１に対応位置して切り欠き１３をそれぞれ形成してある。この切り欠き１３は、後述する景品ケース６をボトル容器から外す際に、景品ケース６を手で押して変形する動作をし易くするためのものである。また、各舌片１１の前記用突起１２は、後述するようなボトル容器に景品ケース６を取り付けた状態では、突縁１ａの下端縁に位置するように構成する。
【００１２】
そして、この景品ケース６をボトル容器に取り付けるには、天壁８を上にしてその開放端をボトルキャップの上に被せ、キャップ天部を４つの舌片１２で囲むようにして、天壁８とキャップ天部が当接する位置するまで押し込む。押し込む際に、各舌片１１の係止用突起１２は、ボトルキャップ外周面に弾力で押し付けられつつボルト首部１の突縁１ａに向かって移動し、突縁１ａに被った状態のバンドリング５下端縁を越すと舌片１１の弾力で内側のボルト首部１側に移動し、該バンドリング５下端縁に係止し、景品ケース６はボトル容器に取り付けられる。
【００１３】
また、ボトル容器に取り付けた前記の状態において、前記周壁７及び前記天壁８とボトル首部１及びボトル肩部２とに囲まれた部分に景品収納空間が形成される。
【００１４】
図１〜図３に示すように、係止用突起１２は、バンドリング５下端に係止し、輸送中などにおける取り扱い時には、不用意に離脱しないが、景品ケース６の周壁７下部を内側に押圧すると、前記舌片１１を水平方向外側に揺動させて前記係止状態が解除するものである。
【００１５】
以上のように構成した景品ケース６は、清涼飲料販売店などで景品（図示せず）を入れ、景品を収納空間に位置させた状態でボトル容器に取り付け、店頭や自動販売機で販売される。このボトル容器入りの清涼飲料を購入した消費者が、一方の手でボトル胴部３を、また他方の手で景品ケース６の周壁７下部を持ち内側に押圧すると、前記各舌片１１がボトルキャプから離反する方向に揺動して突縁１ａへの各係止用突起１２の係止状態が解除し、さらに景品ケース６をボトル首部１から引き抜くと、ボトルキャップ外周面上を前記各係止用突起１２が滑りながら移動し、前記景品ケース６はボトル容器から分離する。次に、消費者は、収納空間内の景品を入手した後、ボトルキャップを回転してキャップ首部１との螺合を解くと、バンドリング５とキャップ本体間のブリッジが剪断され開栓する。開栓後のバンドリング５は、キャップ本体と分離してボトル首部１の突縁１ａに被冠した状態で支持される。このようにボトル容器を開栓し、内部の飲料を飲んだ後には、開栓状態のボトル本体４のボトル首部１端部に天壁８を上にしてその開放端を被せ、ボトル首部１を４つの舌片１１で囲むようにして、天壁８とボトル首部上端が当接する位置するまで押し込む。押し込む際に、各舌片１１の係止用突起１２は、ボトル首部１外周面に弾力で押し付けられつつ突縁１ａに向かって移動し、バンドリング５が被った突縁１ａを越すと、舌片１１の弾力で内側のボルト首部１側に移動し、突縁１ａに係止して、景品ケース６はボトル本体４に取り付けられ、貯金箱となる。すなわち、景品ケース６の天壁８に設けられたコイン投入口９にコインを投入すると、コインはボトル本体４内に収容されるのである。
【００１６】
なお、本発明は上記実施形態になんら限定されるものではなく、例えば、清涼飲料用のボトル容器に適用するのではなく、酒類など他の飲料用に適用してもよい。また、係合部は、突縁１ａではなく雄螺旋１ｂであってもよい。さらに、ボトルキャップは、開栓時にバンドリングがキャップ本体とともにボトル首部１の突縁１ａから分離するものであってもよい。
【図面の簡単な説明】
【００１７】
【図１】平面図。
【図２】図１のＡ−Ａ線断面図。
【図３】貯金箱となした状態の縦断正面図。
【符号の説明】
【００１８】
１    ボトル首部
１ａ    突縁  
２    ボトル肩部
３    ボトル胴部
４    ボトル本体
５    バンドリング
６    景品ケース
７    周壁
８    天壁
９    コイン投入口
１０    筒部
１１    舌片
１２    係止用突起
１３    切り欠き
【図１】
2009107688.tif 000003
【図２】
2009107688.tif 000004
【図３】
2009107688.tif 000005